(57)【特許請求の範囲】
【請求項１】
鋼管杭又は鋼管を巻いたコンクリート杭と基礎スラブとの接合構造において、丸鋼又は異形棒鋼を、前記鋼管杭又は鋼管を巻いたコンクリート杭の側面に溶接接合するもので、前記丸鋼又は異形棒鋼の端部には溶接用開先を有する金物を摩擦圧接して金物付棒鋼とし、
前記金物は側面に溶接用開先又は溶接用開先と溶接用開先の間に窪み部又は溶接用開先と裏当て金を差し込む溝又は溶接用開先と突起部を成型してあり、
前記丸鋼又は異形棒鋼の端部は前記金物の上部にその側面の開先に近づけて摩擦圧接で一体化してなり、この金物付棒鋼を使用し、前記鋼管杭及び鋼管巻きコンクリート杭の側面と前記金物の溶接用開先とを溶接部で溶接して、杭頭部に多数本の丸鋼又は異形棒鋼を、前記杭との偏心距離を少なくして接続してある事を特徴とする鋼管を有する杭と基礎スラブとの杭頭接合構造。
【発明の詳細な説明】
【０００１】
【発明の属する技術分野】
本発明は、鋼管杭又は鋼管巻きコンクリート杭と基礎スラブとの杭頭接合構造に関する。
【０００２】
【従来の技術】
従来、鋼管を外周に配置した杭と基礎スラブとの接合は、鉄筋などの棒鋼を所定の長さに切断し、この鉄筋の下端部を前記杭の鋼管に直接溶接もしくは六角ナット等のカプラーを前記杭の鋼管に直接溶接し、かつ、鉄筋等の棒鋼をこのカプラーに螺合等により固定して、これらの杭外周に配置した鉄筋と杭頭部を埋込む様にコンクリートを打設するだけで杭頭接合部を構築している。
【０００３】
【発明が解決しようとする課題】
しかしながら、前記従来の技術には、次のような問題点があった。
【０００４】
丸鋼や異形棒鋼の円形部材の溶接は、溶接に適した形状でない為、円形部と鋼板とのルート部を完全に溶け込ませることは困難である。
しかも、ルート部にスラブが巻込まれるなど欠陥が多く発生し、完全な溶接が出来ない。
【０００５】
丸鋼や異形棒鋼を単に切断し、直接杭の鋼管に溶接する方法は、鋼管と鉄筋との距離調整、溶接部鉄筋の材質の選択及び、溶接部鉄筋の形状の選択など、杭頭接合部の性能に係わる要求に対応出来ない。
【０００６】
丸鋼や異形棒鋼などの溶接は強度保証が難しいので、設備の整った加工場で行う事を原則としている。しかしながら、やむを得ず現場で溶接しなければならない場合には、溶接部の強度を保証する為に、溶接速度を遅くし、溶接回数と溶接長を多くし、かつ、溶接部を検査する事が必要となる。
この作業は、手間が掛かり、多大な溶接コストと検査費用を要する事となる。
【０００７】
前述の棒鋼又は六角ナット等のカプラーを直接鋼管に溶接する方法は、適正な開先角度とルート間隔を形成出来ない不完全溶接といわれる部分溶込み溶接しか出来ず、２０００年６月に施行された建築基準法施行令の改正後は軽微な杭以外には採用出来なくなる。
【０００８】
棒鋼等を鋼管にただ単に溶接しただけでは、棒鋼等と溶接部との偏心に伴って発生する曲げモーメントを処理する事が出来ない為、鋼管と金物等との溶接下部が外部に引張降伏破壊したり、もしくは杭頭側面部の基礎スラブが破壊する事がある。
【０００９】
【課題を解決するための手段】
本発明では、次の鋼管を有する杭と基礎スラブとの杭頭接合構造を開発した事により、前記問題点を解決するものである。
つまり、鋼管杭又は鋼管を巻いたコンクリート杭と基礎スラブとの接合構造において、丸鋼又は異形棒鋼を、前記鋼管杭又は鋼管を巻いたコンクリート杭の側面に溶接接合するもので、前記丸鋼又は異形棒鋼の端部には溶接用開先を有する金物を摩擦圧接して金物付棒鋼とし、
前記金物は側面に溶接用開先又は溶接用開先と溶接用開先の間に窪み部又は溶接用開先と裏当て金を差し込む溝又は溶接用開先と突起部を成型してあり、
前記丸鋼又は異形棒鋼の端部は前記金物の上部にその側面の開先に近づけて摩擦圧接で一体化してなり、
この金物付棒鋼を使用し、前記鋼管杭及び鋼管巻きコンクリート杭の側面と前記金物の溶接用開先とを溶接部で溶接して、
杭頭部に多数本の丸鋼又は異形棒鋼を、前記杭との偏心距離を少なくして接続してある事を特徴とする鋼管を有する杭と基礎スラブとの杭頭接合構造を提案する。
この接合構造は、他端部に鉄筋又は鋼板等の定着体を一体化した丸鋼又は異形棒鋼の端部に、金物を一体化した金物付棒鋼を使用し、杭の側面に金物付棒鋼の金物を溶接する杭頭接合構造であり、前記丸鋼又は異形棒鋼は、前記金物上部に摩擦圧接等で一体化してあること、金物上部は、棒鋼を包絡する任意形状であること、金物は、側面に溶接用開先又は溶接用開先と溶接用開先の間に窪み部又は溶接用開先と裏当て金を差し込む溝又は溶接用開先と突起部を成型してあることなどに特徴がある。
【００１０】
【実施例】
ここで、本発明の鋼管を有する杭と基礎スラブとの杭頭接合構造の一実施例を図面に基づいて説明する。
【００１１】
第１図は、本発明〔請求項１〕に係わる金物付棒鋼８を鋼管巻きコンクリート杭２の側面に取り付けた状態の平面図である。
鋼管巻きコンクリート杭２は外側を覆っている鋼管３と中空断面のコンクリート部４から構成される工場で製造する既製杭を例として示している。
金物付棒鋼８は、異形棒鋼１０の端部に、２つの溶接用開先１２を設けた棒鋼１０を包絡する五角形の断面を有し、かつ、溶接する範囲に裏当て金１６を差し込む溝１３を鋳造成型した金物９を摩擦圧接１１した構成である。
金物９は裏当て金１６を差し込む溝１３を持つ断面と溝１３のない断面の二つの断面を有し、この溝１３による欠損のない断面の上部に棒鋼１０の端部を金物９の開先１２に近づけて一体化した例を示している。尚、棒鋼１０と溶接部２４との偏心距離を少なくする必要や溝１３の形成に伴う剛性及び強度低下を防止する必要がない場合には、溝１３を全長に設けた均一断面の金物９を使用する事もある。鋼管巻コンクリート杭２と金物付棒鋼８は、金物９の溝１３を鋼管３に溶接した裏当て金１６に差し込み密着させて適正なルート間隔と開先角度を形成する開先１２と鋼管３の側面とを突合せ溶接し、かつ、金物９を杭２の上端から任意長さ突出させて、金物９と棒鋼１０とを基礎スラブに定着して連結する杭頭接合構造を示している。
【００１２】
第２図は、第１図のＡ−Ａ線による縦断面図である。
【００１３】
第３図は、第２図のＢ−Ｂ線による横断面図である。
【００１４】
第４図は、本発明（請求項１）に係わる金物付棒鋼８の立面図である。
【００１５】
第５図は、第４図のＡ−Ａ線による横断面図である。
【００１６】
第６図は、第４図のＢ−Ｂ線による横断面図である。
【００１７】
第７図は、第４図のＣ−Ｃ線による横断面図である。
【００１８】
第８図は、本発明（請求項１）に係わる金物付棒鋼８の斜視図である。
【００１９】
第９図は、本発明（請求項１）に係わる金物付棒鋼８を鋼管巻きコンクリート杭２の側面に取り付けた状態の平面図である。
鋼管巻きコンクリート杭２は、ＰＣ鋼棒と異形鉄筋を配した中空断面のコンクリート部４と、このコンクリート部４の外側を覆っている鋼管３と、ＰＣ鋼棒を固定する雌ねじ６が設けられた端板５を杭頭部に溶接した構成の工場で製造する既製杭を例として示している。
金物付棒鋼８は、他端部に鋼板の定着体１９を摩擦圧接１１で一体化した異形棒鋼１０の端部に、２つの溶接用開先１２を設けた棒鋼１０を包絡する六角形の断面を有し、かつ、溶接する範囲に裏当て金１６を差し込む溝１３を切削成型した金物９を摩擦圧接１１した構成である。金物９は裏当て金１６を差し込む溝１３を持つ断面と溝１３のない断面の二つの断面を有し、この溝１３による欠損のない断面の上部に棒鋼１０の端部を金物９の開先１２に近づけて一体化した例を示している。
尚、棒鋼１０と溶接部２４との偏心距離を少なくする必要や溝１３の形成に伴う剛性及び強度低下を防止する必要がない場合には、溝１３を全長に設けた均一断面の金物９を使用する事もある。鋼管巻コンクリート杭２と金物付棒鋼８は、金物９の溝１３を鋼管３に溶接した裏当て金１６に差し込み密着させて適正なルート間隔と開先角度を形成する開先１２と鋼管３の側面及び端板の開先部７とを突合せ溶接し、かつ、金物９を杭２の上端から任意長さ突出させて、金物９と棒鋼１０とを基礎スラブに定着して連結する杭頭接合構造を示している。尚、この例では、杭頭端板５に設けられた雌ねじ６に杭頭接合鉄筋２６をナット１８で併設したものを示している。
【００２０】
第１０図は、第９図のＡ−Ａ線による縦断面図である。
【００２１】
第１１図は、第１０図のＢ−Ｂ線による横断面図である。
【００２２】
第１２図は、本発明（請求項１）に係わる金物付棒鋼８の立面図である。
【００２３】
第１３図は、第１２図のＡ−Ａ線による横断面図である。
【００２４】
第１４図は、第１２図のＢ−Ｂ線による横断面図である。
【００２５】
第１５図は、第１２図のＣ−Ｃ線による横断面図である。
【００２６】
第１６図は、本発明（請求項１）に係わる金物付棒鋼８の斜視図である。
【００２７】
第１７図は、本発明に係わる金物付棒鋼８を鋼管杭１の側面に取り付けた状態の平面図である。
鋼管杭１は鋼管３のみから構成される。
丸鋼及び異形棒鋼又は他端部に鋼板等の定着体１９を摩擦圧接等で一体化した丸鋼及び異形棒鋼の端部に、棒鋼１０を包囲する中空部を有する金物９をダイス等で絞り、金物９の内部を棒鋼１０にくい込ませて、溶接用開先１２と突起部１４を成型した金物９を一体化したものである。
金物付棒鋼８は、異形棒鋼１０の端部に、棒鋼１０を包囲する中空部を有する金物をダイスで絞り、金物の内部を棒鋼１０にくい込ませ、突起部１４とその左右に溶接用開先１２を成型した構成である。
突起部１４は、鋼管３との適正なルート間隔を確保して、溶接をより良くする為のものであり、その先端は鋼管３と２点接触して隙間を生じない様に窪み部１５を設けた例を示している。
鋼管杭１と金物付棒鋼８は、突起部１４を鋼管３に密着させて適正なルート間隔と開先角度を形成する開先１２と鋼管３の側面とを部分溶込み溶接し、金物９は杭１から突出させず杭上端とほぼ同じ位置に接続した杭頭接合構造を示している。
【００２８】
第１８図は、第１７図のＡ−Ａ線による縦断面図である。
【００２９】
第１９図は、本発明（請求項１）に係わる金物付棒鋼８の立面図である。
【００３０】
第３０図は、第１９図のＡ−Ａ線による横断面図である。
【００３１】
第２１図は、第１９図のＢ−Ｂ線による横断面図である。
【００３２】
第２２図は、第１９図のＣ−Ｃ線による横断面図である。
【００３３】
第２３図は、本発明（請求項１）に係わる金物付棒鋼８の斜視図である。
【００３４】
第２４図は、本発明に係わる金物付棒鋼の例としての溶接用加工部付棒鋼２１を鋼管巻きコンクリート杭２の側面に取り付けた状態の平面図である。
棒鋼１０の端部を、プレス等で溶接用開先１２を成型し、又は溶接用開先１２の間に窪み部１５を成型し、又は溶接用開先と裏当て金を差し込む溝を形成したもの、又は溶接用開先と突起部を成型し、溶接用加工部付棒鋼２１としたものである。
この溶接用加工部付棒鋼を使用し、前記杭に溶接する。
第２４図は、鋼管巻きコンクリート杭２は、ＰＣ鋼棒を配した中空断面のコンクリート部４と、このコンクリート部４の外側を覆っている鋼管３と、ＰＣ鋼棒を固定する雌ねじ６が設けられた端板５を杭頭部に溶接した構成の工場で製造する既製杭を例として示している。
溶接用加工部付棒鋼２１は、他端部をＬ型に折り曲げた異形棒鋼１０の端部をプレスで溶接用開先１２を一体成型した構成である。
この溶接用開先１２の間には鋼管３と２点接触して隙間を生じない様に窪み部１５を設けた例を示している。
鋼管巻コンクリート杭２と溶接用加工部付棒鋼２１は、鋼管３に密着させて適正な開先角度を形成する開先１２と鋼管３の側面とを部分溶込み溶接し、溶接用加工部２２は杭２から突出させず杭上端とほぼ同じ位置に接続した杭頭接合構造を示している。
尚、この例では、杭頭端板５に杭頭接合鉄筋２６を溶接で併設したものを示している。
【００３５】
第２５図は、第２４図のＡ−Ａ線による縦断面図である。
【００３６】
第２６図は、本発明に係わる溶接用加工部付棒鋼２１の立面図である。
【００３７】
第２７図は、第２６図のＡ−Ａ線による横断面図である。
【００３８】
第２８図は、第２６図のＢ−Ｂ線による横断面図である。
【００３９】
第２９図は、第２６図のＣ−Ｃ線による横断面図である。
【００４０】
第３０図は、本発明に係わる溶接用加工部付棒鋼２１の斜視図である。
【００４１】
第３１図は、本発明に係わる金物一体化の例で、溝１３を加工した六角断面の金物２７と棒鋼１０を鋼管巻きコンクリート杭２の側面に取り付けた状態の平面図である。
鋼管巻きコンクリート杭２は、現場で鋼管３の内部にコンクリート４を打設して造成する場所打鋼管コンクリート杭を例として示している。
六角断面の金物２７は、外周の軸方向の面と面の交線２８の左右に並行した方向で溶接する範囲に裏当て金１６を差し込む溝１３を加工した断面と、溶接しない範囲の溝１３がない断面とから構成される。
鋼管巻きコンクリート杭２と、金物２７とは、杭上端から突出する様に、金物２７の溝１３を鋼管３に溶接した裏当て金１６に差し込み密着させて適正なルート間隔と開先角度を形成する溝１３の左右の金物２７の溶接面３７と鋼管３の側面とを突合せ溶接し、かつ、棒鋼１０はこの金物２７に螺合及び溶接１７で一体化してある杭頭接合構造を示している。
尚、棒鋼１０と金物２７とは、螺合又は螺合部にグラウト材を注入して一体化する事もある。
又、棒鋼１０の他端部には鋼板の定着体１９をナット１８で固定した例を示している。
【００４２】
第３２図は、第３１図のＡ−Ａ線による縦断面図である。
【００４３】
第３３図は、第３２図のＢ−Ｂ線による横断面図である。
【００４４】
第３４図は、本発明に係わる金物２７と一体化してある状態の棒鋼１０の立面図である。
【００４５】
第３５図は、第３４図のＡ−Ａ線による縦断面図である。
【００４６】
第３６図は、第３４図のＢ−Ｂ線による横断面図である。
【００４７】
第３７図は、第３４図のＣ−Ｃ線による横断面図である。
【００４８】
第３８図は、本発明に係わる金物２７と一体化してある状態の棒鋼１０の斜視図である。
【００４９】
第３９図は、本発明に係わり、基礎スラブとの接合を図るもので、円環状の金具２９を鋼管巻きコンクリート杭２に溶接する金物付棒鋼８の金物９の下部に配置した状態の断面図である。
杭頭接合構造において、鋼管に溶接する金物及び溶接用加工部の下部及び下部側面に、鋼管を包囲する円環状の金具を、前記金物又は裏当て金に設けた折曲げ部等の固定部で固定もしくは金物から下部に突出させた棒鋼の雄ねじを前記円環状の金具に設けたボルト穴に挿入し、かつナット等で固定して一体化している。
第３９図中の右側は、杭頭部鋼管３に仮付溶接した裏当て金１６の折曲げ部３０の上に、円環状の金具２９を載せた状態を示しており、これ以外の箇所は左側に示す様に、前記金物９を円環状の金具２９を上から挟む様にして裏当て金１６に差し込み、かつ、鋼管３と溶接して、円環状の金具２９を金物９の下部に固定して一体化した杭頭接合構造の例を示している。尚、円環状の金具２９は、必要に応じて、裏当て金１６、金物９及び鋼管３と溶接する。
【００５０】
第４０図は、第３９図のＡ−Ａ線による横断面図である。
この例では、円環状の金具２９は、裏当て金１６に内接する内径を有し、鋼管３と隙間を生じているが、裏当て金１６を差し込む溝を円環状の金具２９の内側に設けて、円環状の金具２９の内径と鋼管３の外径とほぼ同じにする事もある。
【００５１】
第４１図は、本発明に係わる金物付棒鋼８にさらに杭頭側面金物３２を基礎スラブ３１の杭頭側面部に配置した状態の縦断面図である。
杭頭側面金物３２は２つの直径の異なるリング状の包囲状金物３４に放射状に配置した６本の交差金物３６と溶接で一体化されている。
この包囲状金物３４及び交差金物３６の本数、径及び長さは、杭の種類等に応じて異なるものを使用する事もある。
尚、鋼管巻コンクリート杭２の側面には金物付棒鋼８の金物９を溶接した例を示しているが、金物付棒鋼８が無い杭にも使用出来る。
このように、基礎スラブの杭頭側面部に、らせん状、多角形状及びリング状等の包囲状金物にほぼ放射状に配置した交差金物を溶接等で一体化もしくは、多角形状等の包囲状金物を複数交差させ、かつ溶接等で一体化もしくは多角形状等の包囲状金物を複数交差し、かつ、これとほぼ直交する交差金物を溶接等で一体化した杭頭側面金物を配置することができる。
【００５２】
第４２図は、第４１図のＡ−Ａ線による横断面図である。
【００５３】
第４３図は、本発明に係わる杭頭側面金物３２の平面図である。
杭頭側面金物３２は１つのらせん状の包囲状金物３３に６本の交差金物３６を放射状に配置して溶接で一体化した例を示している。
【００５４】
第４４図は、本発明に係わる杭頭側面金物３２の平面図である。
杭頭側面金物３２は、２つの六角形の包囲状金物３５を交差させ、かつ、６本の交差金物３６を、包囲状金物の相互の交点を結ぶ様に配置して溶接で一体化した例を示している。
【００５５】
第４５図は、本発明に係わる杭頭側面金物３２の平面図である。杭頭側面金物３２は、２つの四角形の包囲状金物３５を交差させ、かつ、溶接して一体化し、さらにこの包囲状金物３５の任意位置にほぼ杭１、２の中心方向に４つの交差金物を取り付けた例を示している。
尚、交差金物の先端には樹脂等のキャップを付ける事もある。
【００５６】
【発明の効果】
本発明に係わる鋼管を有する杭と基礎スラブとの杭頭接合構造には、次の様な特有の効果がある。
【００５７】
棒鋼に摩擦圧接等で一体化された金物は、溶接に適した金物を選択出来かつ、適正なルート間隔と開先角度を形成する為の溶接用開先と裏当て金用の溝が成型してある事から、杭頭部鋼管と完全溶込み溶接して高品質で耐震的な杭頭接合構造を構築出来る。
【００５８】
現場での溶接に於いても、高い信頼性と高強度が得られる為、溶接量や溶接部の検査が少なくて済み、かつ、ねじの欠損がなく、高強度な材質が採用出来るなどの理由から、棒鋼本数を２０％〜４０％低減出来、著しいコストダウンが図られる。
【００５９】
溶接作業性はもとより、本数の減少に伴う基礎梁の鉄筋や基礎スラブのベース筋等の配筋を円滑に行う事が出来、工期を著しく短縮出来る。
【００６０】
２０００年６月に施行された改正後の建築基準法施行令にも１００％対応出来る。
【００６１】
棒鋼と鋼管との溶接部との偏心に伴う曲げモーメントを、杭上端より突出させて基礎スラブに定着させた高い強度と剛性を持つ金物又は、金具下部に配置した円環の金具もしくは杭側面金物により、鋼管溶接部近傍や基礎スラブ杭頭側面部の破壊を防止出来る。
【図面の簡単な説明】
【図１】本発明に係る鋼管を有する杭と基礎スラブとの杭頭接合構造の一実施例の平面図である。
【図２】第１図のＡ−Ａ線による縦断面図である。
【図３】第２図のＢ−Ｂ線による横断面図である。
【図４】本発明に係わる金物付棒鋼の立面図である。
【図５】第４図のＡ−Ａ線による横断面図である。
【図６】第４図のＢ−Ｂ線による横断面図である。
【図７】第４図のＣ−Ｃ線による横断面図である。
【図８】本発明に係わる金物付棒鋼の斜視図である。
【図９】本発明に係わる鋼管を有する杭と基礎スラブとの杭頭接合構造の一実施例の平面図である。
【図１０】第９図のＡ−Ａ線による縦断面図である。
【図１１】第１０図のＢ−Ｂ線による横断面図である。
【図１２】本発明に係わる金物付棒鋼の立面図である。
【図１３】第１２図のＡ−Ａ線による横断面図である。
【図１４】第１２図のＢ−Ｂ線による横断面図である。
【図１５】第１２図のＣ−Ｃ線による横断面図である。
【図１６】本発明に係わる金物付棒鋼の斜視図である。
【図１７】本発明に係わる実施例で鋼管を有する杭と基礎スラブとの杭頭接合構造の一実施例の平面図である。
【図１８】第１７図のＡ−Ａ線による縦断面図である。
【図１９】本発明に係わる実施例で金物付棒鋼の立面図である。
【図２０】第１９図のＡ−Ａ線による横断面図である。
【図２１】第１９図のＢ−Ｂ線による横断面図である。
【図２２】第１９図のＣ−Ｃ線による横断面図である。
【図２３】本発明に係わる実施例で金物付棒鋼の斜視図である。
【図２４】本発明に係わる鋼管を有する杭と基礎スラブとの杭頭接合構造の一実施例の平面図である。
【図２５】第２４図のＡ−Ａ線による縦断面図である。
【図２６】本発明に係わる実施例で、溶接用加工部付棒鋼の立面図である。
【図２７】第２６図のＡ−Ａ線による横断面図である。
【図２８】第２６図のＢ−Ｂ線による横断面図である。
【図２９】第２６図のＣ−Ｃ線による横断面図である。
【図３０】本発明に係わる実施例で溶接用加工部付棒鋼の斜視図である。
【図３１】本発明に係わる金物付棒鋼の例で、鋼管を有する杭と基礎スラブとの杭頭接合構造の平面図である。
【図３２】第３１図のＡ−Ａ線による縦断面図である。
【図３３】第３２図のＢ−Ｂ線による横断面図である。
【図３４】本発明に係わる実施例で金物付棒鋼の立面図である。
【図３５】第３４図のＡ−Ａ線による横断面図である。
【図３６】第３４図のＢ−Ｂ線による横断面図である。
【図３７】第３４図のＣ−Ｃ線による横断面図である。
【図３８】本発明に係わる実施例で金物付棒鋼の斜視図である。
【図３９】本発明に係わるもので、円環状の金具を配置した鋼管を有する杭と基礎スラブとの杭頭接合構造の縦断面図である。
【図４０】第３９図のＡ−Ａ線による横断面図である。
【図４１】本発明に係わる例で、杭頭側面金物を配置した基礎スラブと鋼管を有する杭との杭頭接合構造の縦断面図である。
【図４２】第４１図のＡ−Ａ線による横断面図である。
【図４３】同じく杭頭側面金物の平面図である。
【図４４】異なる杭頭側面金物の平面図である。
【図４５】異なる杭頭側面金物の平面図である。
【符号の説明】
１  鋼管杭
２  鋼管巻きコンクリート杭
３  鋼管
４  鋼管巻きコンクリート部のコンクリート部
５  杭頭端板
６  端板に設けられている雌ねじ
７  端板の開先部
８  金物付棒鋼
９  金物付棒鋼の金物
１０  （異形）棒鋼
１１  摩擦圧接部
１２  金物又は溶接加工部に設けられた溶接用開先
１３  裏当て金を差し込む溝
１４  金物に設けられた突起部
１５  突起部の先端部又は二つの開先の間に設けた窪み部
１６  裏当て金
１７  金物と棒鋼との溶接部
１８  ナット
１９  鋼板等の定着体
２０  棒鋼の端部に設けた雄ねじ
２１  溶接用加工部付棒鋼
２２  溶接用加工部
２３  溶接用加工部付棒鋼の棒鋼部
２４  金物又は溶接用加工部と鋼管との溶接部
２５  金物又は溶接用加工部と端板との溶接部
２６  端板上部に取り付けた杭頭接合鉄筋
２７  溝加工した六角断面の金物
２８  溝加工した金物の外周にある軸方向の面と面の交線
２９  円環状の金具
３０  裏当て金の折り曲げ部
３１  基礎スラブ
３２  杭頭側面金物
３３  らせん状の包囲状金物
３４  リング状の包囲状金物
３５  多角形状の包囲状金物
３６  交差金物
３７  溝加工した六角断面の金物の溶接面
【図１】
0004499888.tif 000002
【図２】
0004499888.tif 000003
【図３】
0004499888.tif 000004
【図４】
0004499888.tif 000005
【図５】
0004499888.tif 000006
【図６】
0004499888.tif 000007
【図７】
0004499888.tif 000008
【図８】
0004499888.tif 000009
【図９】
0004499888.tif 000010
【図１０】
0004499888.tif 000011
【図１１】
0004499888.tif 000012
【図１２】
0004499888.tif 000013
【図１３】
0004499888.tif 000014
【図１４】
0004499888.tif 000015
【図１５】
0004499888.tif 000016
【図１６】
0004499888.tif 000017
【図１７】
0004499888.tif 000018
【図１８】
0004499888.tif 000019
【図１９】
0004499888.tif 000020
【図２０】
0004499888.tif 000021
【図２１】
0004499888.tif 000022
【図２２】
0004499888.tif 000023
【図２３】
0004499888.tif 000024
【図２４】
0004499888.tif 000025
【図２５】
0004499888.tif 000026
【図２６】
0004499888.tif 000027
【図２７】
0004499888.tif 000028
【図２８】
0004499888.tif 000029
【図２９】
0004499888.tif 000030
【図３０】
0004499888.tif 000031
【図３１】
0004499888.tif 000032
【図３２】
0004499888.tif 000033
【図３３】
0004499888.tif 000034
【図３４】
0004499888.tif 000035
【図３５】
0004499888.tif 000036
【図３６】
0004499888.tif 000037
【図３７】
0004499888.tif 000038
【図３８】
0004499888.tif 000039
【図３９】
0004499888.tif 000040
【図４０】
0004499888.tif 000041
【図４１】
0004499888.tif 000042
【図４２】
0004499888.tif 000043
【図４３】
0004499888.tif 000044
【図４４】
0004499888.tif 000045
【図４５】
0004499888.tif 000046